(57)【要約】【課題】  ケーブルを流れるノイズを除去する為に取付けられるリング体をしたフェライトコアの取付け構造であって、ケーブルを挟むことなく簡単で安定した取付け構造の提供。【解決手段】  リング体１５の外周面１１に弾性力を付勢して当る外周側保持部４ａ，４ｂと内周面１２に弾性力を付勢して当る内周側保持部５とで該リング体１５を挟み、上記外周側保持部４ａ、４ｂ、及び内周側保持部５の先端には突部６ａ，６ｂ、７を形成している。【選択図】    図２
2007324158.tif 000002
【特許請求の範囲】
【請求項１】
ケーブルを流れるノイズを除去する為に取付けられるリング体をしたフェライトコアの取付け構造において、リング体の外周面に当る外周側保持部と内周面に当る内周側保持部とで該リング体に弾性力を付勢して挟み、上記外周側保持部又は内周側保持部の少なくとも片方を弾性変形にて撓むことが出来ることを特徴とするフェライトコアの取付け構造。
【請求項２】
上記外周側保持部を所定の間隔をおいて形成し、両外周側保持部の中間に内周側保持部を設けた請求項１記載のフェライトコアの取付け構造。
【請求項３】
上記外周側保持部又は内周側保持部の少なくとも片方の先端には取付けたフェライトコアの端面に係止する突部を形成した請求項１、又は請求項２記載のフェライトコアの取付け構造。
【請求項４】
上記外周側保持部に脚を形成した請求項１、請求項２、又は請求項３記載のフェライトコアの取付け構造。
【請求項５】
プリント基板などの電子部品が取付けられるベース板に、上記外周側保持部と内周側保持部を一体成形して設けた請求項１、請求項２、又は請求項３記載のフェライトコアの取付け構造。
【発明の詳細な説明】
【技術分野】
【０００１】
本発明はケーブルを流れるノイズを除去する為のフェライトコアを、簡単にしかも安定して取付けることが出来る構造に関するものである。
【背景技術】
【０００２】
例えば、画像入力を行う為のハンディスキャナや、画面上のデータ処理を行うためのマウス等の外部入力装置からは放射ノイズが発生する。従って、この外部入力装置には、放射ノイズがケーブルを介してＯＡ機器に影響しないようにノイズ除去対策が採られている。一般的には、入力装置本体から引き出されたケーブルの入力装置本体内部分にフェライトコアを装着し、入力装置本体からの出力信号がフェライトコアを通過すことによって放射ノイズを除去するようにしている。
【０００３】
すなわち、装置内にリング状のフェライトコアが取付けられ、このフェライトコアにケーブルを巻付けたり挿通することでノイズを除去することが出来、その結果、ノイズのない信号を出力することが出来る。ところで、フェライトコアの取付けには色々な構造が知られている。実開平５−４６６１号に係る「外部入力装置」は、入力装置本体の上ケース内にフェライトコア固定用リブを設け、下ケース内にフェライトコア固定用リブを設けて、この各フェライトコア固定用リブによって信号線に装着されたフェライトコアを保持している。
【０００４】
上ケースのフェライトコア固定用リブでフェライトコアを押える構造に成っているため、ケーブルをフェライトコアに巻付ける場合には、ケーブルが上ケースのフェライトコア固定用リブとフェライトコアの間に挟み込まないように注意しながら上ケースを下ケースにかぶせる必要がある。誤ってケーブルが挟み込まれたとしても、上ケースを下ケースにかぶせてしまえば、挟まれたことが分からないままとなり、ケーブルにダメージを与える虞がある。
【０００５】
実開平６−３６４９号に係る「フェライトコアの取付構造」は、組込み作業が容易で、フェライトコアの位置決め精度のアップができるフェライトコア取付け構造であり、半円形の溝とフックを有するケースに、リード線を通したフェライトコアを入れ、フェライトコア押えでフェライトコアを押え、フックで止め、フェライトコアを規定取付け位置に固定している。このフェライトコアはフェライトコア押えで押える構造と成っているために、ケーブルをフェライトコアに巻き付ける場合には、ケーブルがフェライトコア押えとフェライトコアの間に挟みこまれることで、ケーブルにダメージを与える虞がある。
【０００６】
特開２００６−１３０６０号に係る「固定具、及び当該固定具を用いた液体噴射装置」は、フェライトコアに挿入された配線を少ない部品点数で確実に装置本体に固定する固定具であり、フェライトコアサドルは、平板状のサドル本体と、サドル本体の一方の面に配され、メインフレームに係止する係止部と、配線の長手方向におけるフェライトコアの長さと略同一の距離だけ離間してサドル本体の他方の面に一対配され、配線の長手方向におけるフェライトコアの両側においてそれぞれ配線を把持する一対の配線把持部とを備えている。
【０００７】
この固定具は、フェライトコアサドルの一対の配線把持部によって配線は把持されるが、フェライトコアを直接固定するような構造に成っていない。従って、振動や衝撃が加わった場合に、フェライトコアがフェライトコアサドルの上からズレた位置に移動することが考えられ、その際に配線が引っ張られることで配線にダメージを与えたり、配線把持部から配線が外れてしまう虞がある。
【特許文献１】実開平５−４６６１号に係る「外部入力装置」
【特許文献２】実開平６−３６４９号に係る「フェライトコアの取付構造」
【特許文献３】特開２００６−１３０６０号に係る「固定具、及び当該固定具を用いた液体噴射装置」
【発明の開示】
【発明が解決しようとする課題】
【０００８】
このように従来のフェライトコアの取付けには上記のごとき問題がある。本発明が解決しようとする課題はこれら問題点であり、ケーブルをフェライトコアの穴に通す場合であっても、ケーブルをフェライトコアに巻付ける場合であっても、該ケーブルにダメージを与えることなくフェライトコアを安定して取付けることが出来る取付け構造を提供する。
【課題を解決するための手段】
【０００９】
本発明に係るフェライトコアの取付け構造は、リング形状の外周側と内周側を挟み込むことで取付ける構造としている。すなわち、外周面に当る外周側保持部と内周面に当る内周側保持部を有している。上記外周側保持部と内周側保持部は一体化され、内周側保持部はフェライトコアのリング穴に挿入され、外周面に当接する外周側保持部とで弾性力を付勢して挟み込んでいる。そして、外周側保持部又は内周側保持部の少なくとも何れか一方の先端には突部を形成している。上記突部はフェライトコアのリング端面に係止することが出来る。
【００１０】
外周側保持部又は内周側保持部の少なくとも片方は弾性変形(撓み変形)することが出来る材質(一般には樹脂)で構成されている。上記外周側保持部及び内周側保持部は電子機器のプリント基板などの各種電子部品が取付けられるベース板と一体化して形成することもあり、又は外周側保持部と内周側保持部を形成した独立部材として形成し、この独立したコア取付け部をフレームやベース板に取着することが出来る形態として構成することも出来る。
【発明の効果】
【００１１】
本発明では、リング状のフェライトコアを外周側に位置する外周側保持部と内周側に位置する内周側保持部とで挟み込む構造としている。すなわち、リング状のフェライトコアを外周側保持部に載せた状態で内周側保持部にてフェライトコアを押える取付け構造である為に、下側リング体の一部を除いた大部分は拘束されない為に、ケーブルをフェライトコアの穴を挿通する場合やケーブルをフェライトコアに巻き付ける場合の何れにも対応可能となる。そして、この際、該ケーブルが外周側保持部と内周側保持部に挟まれてダメージを受けることもない。
【００１２】
そして、外周側保持部と内周側保持部とで挟み込まれたフェライトコアは弾性力が付勢されて安定して取付けられ、先端に形成している突部はリング体の端面に係止することで、フェライトコアが外周側保持部と内周側保持部から抜けて外れ落ちることはない。又、フェライトコアを取付ける場合には、弾性変形する外周側保持部と内周側保持部の少なくとも何れかを撓み変形させて簡単に挟み込むことが出来る。
【実施例】
【００１３】
図１は電子機器を構成するベース板１を表し、該ベース板１にはプリント基板などの各種電子部品が取付けられる。ベース板１は樹脂製であって、ベース板１にはフェライトコアのコア取付け部２，２、及びコア取付け部３を設けている。図２はコア取付け部２を示す拡大図であり、(ａ)は平面図、(ｂ)は正面図を表している。
【００１４】
上記コア取付け部２は２本の外周側保持部４ａ，４ｂと内周側保持部５を有し、これら外周側保持部４ａ，４ｂ及び内周側保持部５は水平に延び、撓み変形することが出来る。すなわち、外周側保持部４ａ，４ｂ、及び内周側保持部５はベース板１と共に一体成形される樹脂製であり、弾性変形して撓むことが出来る。２本の外周側保持部４ａ，４ｂは所定の間隔を隔てて水平に延び、内周側保持部５は外周側保持部４ａ，４ｂの中間位置に設けられて水平に延びている。
【００１５】
そして、外周側保持部４ａ，４ｂの先端には突部６ａ，６ｂが斜め内側上方へ突出して設けられ、内周側保持部５の先端には突部７が下方へ突出して設けられている。外周側保持部４ａ，４ｂには内側へ傾斜した傾斜面８ａ，８ｂを形成し、上記突部６ａ，６ｂはこの傾斜面８ａ，８ｂに設けられている。
【００１６】
図３は前記図１のベース板１に各種電子部品を取付けた場合であり、コア取付け部２，２，３にはフェライトコア９，９・・が取付けられている。フェライトコア９は図４に示すようなリング体であり、中心には大きな穴１０が貫通して設けられ、滑らかな外周面１１と内周面１２を有している。そして、このリング状をしたフェライトコア９は図２に示している外周側保持部４ａ，４ｂと内周側保持部５とで挟まれて取付けられる。
【００１７】
ところで、コア取付け部２，２，３に取付けられたフェライトコア９，９・・にはケーブル１３，１３・・が巻き付いている。すなわち、ベース板１の外に設けているプラグ１４ａとベース板１に設けているプラグ１４ｂをケーブル１３にて接続する場合、該ケーブル１３はその途中でフェライトコア９に巻き付けられている。その結果、ケーブル１３を流れる各種のノイズは該フェライトコア９にて除去される。同図では、該ケーブル１３はフェライトコア９に巻き付いているが、中心の穴１０を通過して導くように配線する場合もある。
【００１８】
図１に示すベース板１にはプリント基板が取付けられ、該プリント基板と別のプリント基板を接続するケーブル１３、あるいはプリント基板と装置内の電子部品(スピーカなど)を接続するケーブル１３が配置される。そしてこれら各ケーブル１３，１３・・から発生するノイズをベース板１に設けたコア取付け部２，３にフェライトコア９，９・・を取付けて除去される。同時にこれらケーブル１３，１３・・をコア取付け部２，３に挟み込むことで所定の位置に固定することも出来る。すなわち、ベース板１に一体成形したコア取付け部２，３にはフェライトコア９，９・・を取付けたり、ケーブル１３，１３・・を固定する為に利用できる。
【００１９】
図５はコア取付け部２にフェライトコア９を取付けた場合の詳細図であるが、フェライトコア９のリング体１５は外周側保持部４ａ，４ｂと内周側保持部５とで挟み込まれている。すなわち、リング体１５の外周面１１は外周側保持部４ａ，４ｂに形成した傾斜面８ａ，８ｂに載置され、内周側保持部５は穴１０に挿通されて内周面１２を押圧することが出来る。従って、フェライトコア９のリング体１５は３点支持にて安定した取付けが行われる。
【００２０】
フェライトコア９を取付ける場合には、内周側保持部５の先端を持ち上げてリング体１５を外周側保持部４ａ，４ｂとの間に挿入する。そして、一旦挟み込むならば、先端に突出して設けている突部６ａ，６ｂ，７に係止して外れ落ちることはない。図６は図５のＡ−Ａ断面拡大図を表しているように、本発明では、フェライトコア９のリング体１５の下側だけを挟んで取付けた構造であり、フェライトコア９の大部分は拘束されていないリング体１５を有している。
【００２１】
従って、フェライトコア９にケーブル１３を挿通しても、又はケーブル１３を巻き付けても外周側保持部４ａ，４ｂ、及び内周側保持部５に該ケーブル１３が挟まれることはない。しかも、弾性体で構成される外周側保持部４ａ，４ｂ、及び内周側保持部５はリング体１５に弾性力を付勢した状態で挟み込むことが出来る。
【００２２】
図７は本発明に係るフェライトコアの取付け部を示す他の実施例であり、このコア取付け部１６はベース板１とは別部材で構成している。コア取付け部１６としての基本構造は共通しており、外周側保持部１７ａ，１７ｂと内周側保持部１８を有し、そして外周側保持部１７ａ、１７ｂには下方へ延びる脚１９を有している。上記外周側保持部１７ａ，１７ｂには所定の角度に傾斜した傾斜面２０ａ，２０ｂを形成し、載置面２０ａ，２０ｂの前方に突部２１ａ，２１ｂを突出して設けている。
【００２３】
一方の内周側保持部１８は外周側保持部１７ａ，１７ｂと平行して延び、先端には突部２２を下方へ突出している。そして、内周側保持部１８は先端を持ち上げることで撓み変形して入口側を開口し、フェライトコア９のリング体１５を挟むことが出来る。このコア取付け部１６の場合には、傾斜した傾斜面２０ａ，２０ｂにフェライトコア９の外周面１１を接して載置し、穴１０に入った内周側保持部１８にて内周面１２を押圧する。
【００２４】
外周側保持部１７ａ，１８ｂと内周側保持部１８とで一旦挟み込まれたフェライトコア９は、突部２１ａ，２１ｂ、及び突部２２によって外れ落ちないようにしている。ここで、脚１９はベース板１に設けた穴に嵌合して取付けることが出来る。
【図面の簡単な説明】
【００２５】
【図１】コア取付け部を設けているベース板。
【図２】コア取付け部の拡大図。
【図３】コア取付け部にフェライトコアを取付けた場合。
【図４】リング体を成すフェライトコアの具体例。
【図５】コア取付け部にフェライトコアを取付けた場合。
【図６】図５のＡ−Ａ断面拡大図。
【図７】本発明に係るコア取付け部の別形態。
【符号の説明】
【００２６】
１  ベース板
２  コア取付け部
３  コア取付け部
４  外周側保持部
５  内周側保持部
６  突部
７  突部
８  傾斜面
９  フェライトコア
10  穴
11  外周面
12  内周面
13  ケーブル
14  プラグ
15  リング体
16  コア取付け部
17  外周側保持部
18  内周側保持部
19  脚
20  傾斜面
21  突部
22  突部
【図１】
2007324158.tif 000003
【図２】
2007324158.tif 000004
【図３】
2007324158.tif 000005
【図４】
2007324158.tif 000006
【図５】
2007324158.tif 000007
【図６】
2007324158.tif 000008
【図７】
2007324158.tif 000009